(57)【要約】【課題】ＣＡＴＶネットワークの外部の端末から、ＣＡＴＶネットワーク内にある特定の受信装置に対して制御情報を送信して効率よく制御する。【解決手段】送信装置（ＣＡＴＶ局）は、ＣＡＴＶネットワークの外部の端末からＣＡＴＶネットワーク内の特定の受信装置に対する番組録画予約などの要求を受け付けると、要求に対応する命令信号をデータ放送フォーマットでデータ放送に繰り返し多重して送信し、該当する受信装置は、自分宛の命令信号を受信すると受信完了信号をＣＡＴＶ局に送信することにより、特定の受信装置をＣＡＴＶネットワークの外部の端末から効率よく制御することが可能となる。【選択図】図１
2008118494.tif 000002
【特許請求の範囲】
【請求項１】
第１のネットワークで互いに接続され、放送番組の映像・音声データやデータ放送のデータなどを送信する送信装置と、前記送信装置が前記第１のネットワークを介して送信する前記放送番組の映像・音声データや前記データ放送のデータなどを受信する少なくとも１つの受信装置で構成される受信装置制御システムであって、
前記送信装置は、
地上デジタル放送などのデータ放送フォーマットの信号を生成するデータ生成手段と、
前記データ生成手段で生成された信号や放送番組の映像・音声データなどの信号を前記受信装置で受信するために必要な番組情報を生成する番組情報生成手段と、
少なくとも前記データ生成手段で生成された信号と前記番組情報生成手段で生成された前記番組情報の信号を、前記第１のネットワークへ送信する送信手段と、
前記第１のネットワークを介して前記受信装置などと通信する第１の通信手段と、
第２のネットワークを介して通信する第２の通信手段と、
前記第２のネットワークを介して前記第２の通信手段により受信された特定の前記受信装置への命令を処理する命令処理手段を備え、
前記第２の通信手段において前記特定の前記受信装置に対する命令を受信する毎に、前記データ生成手段で生成される信号（イ）に対して、前記命令処理手段で処理された各々の前記特定の前記受信装置を示す情報と各々の前記特定の前記受信装置への命令を繰り返し記述し、各々の前記特定の前記受信装置を示す情報と各々の前記特定の前記受信装置への命令が繰り返し記述される前記信号（イ）を、前記送信手段から前記第１のネットワークへ送信するものであり、
前記受信装置は、
前記送信装置から前記第１のネットワークを介して送信される前記データ放送フォーマットの信号を受信する受信手段と、
前記受信手段で受信した信号を解析する解析手段と、
前記第１のネットワークを介して通信する通信手段を備え、
前記解析手段で解析した結果、前記受信手段で受信した信号が自らの受信装置に対する特定の内容であることを確認した場合は、前記通信手段から前記第１のネットワークを介して前記送信装置の前記第１の通信手段に対し受信終了信号を送信するものである、
ことを特徴とする受信装置制御システム。
【請求項２】
第１のネットワークで互いに接続され、放送番組の映像・音声データやデータ放送のデータなどを送信する送信装置と、前記送信装置が前記第１のネットワークを介して送信する前記放送番組の映像・音声データや前記データ放送のデータなどを受信する少なくとも１つの受信装置で構成される受信装置制御システムであって、
前記送信装置は、
地上デジタル放送などのデータ放送を受信するデータ放送受信手段と、
前記データ放送受信手段で受信されたデータや放送番組の映像・音声データなどを前記受信装置で受信するために必要な番組情報を生成する番組情報生成手段と、
前記第１のネットワークを介して前記受信装置などと通信する第１の通信手段と、
第２のネットワークを介して通信する第２の通信手段と、
前記第２のネットワークを介して前記第２の通信手段により受信された特定の前記受信装置への命令を処理する命令処理手段と、
前記命令処理手段で処理された信号を前記データ放送のフォーマットのデータで記述し、その記述したデータを前記データ放送受信手段で受信された前記データ放送のデータに多重するデータ放送編集手段と、
少なくとも前記データ放送受信手段で受信された信号と前記番組情報生成手段で生成された前記番組情報の信号を、前記第１のネットワークへ送信する送信手段を備え、
前記第２の通信手段において前記特定の前記受信装置に対する命令信号を受信する毎に、前記データ放送編集手段において、前記命令処理手段で処理された各々の前記特定の前記受信装置を示す情報と各々の前記特定の前記受信装置への命令を前記データ放送のフォーマットのデータで記述し、その記述したデータを前記データ放送受信手段で受信された前記データ放送のデータに繰り返し多重し、その多重信号を前記送信手段から前記第１のネットワークへ送信するものであり、
前記受信装置は、
前記送信装置から前記第１のネットワークを介して送信される前記データ放送フォーマットの信号を受信する受信手段と、
前記受信手段で受信した信号を解析する解析手段と、
前記第１のネットワークを介して通信する通信手段を備え、
前記解析手段で解析した結果、前記受信手段で受信した信号が自らの受信装置に対する特定の内容であることを確認した場合は、前記通信手段から前記第１のネットワークを介して前記送信装置の前記第１の通信手段に対し受信終了信号を送信するものである、
ことを特徴とする受信装置制御システム。
【請求項３】
請求項１に記載の受信装置制御システムを構成する送信装置であって、
地上デジタル放送などのデータ放送フォーマットの信号を生成するデータ生成手段と、
前記データ生成手段で生成された信号や放送番組の映像・音声データなどの信号を前記受信装置で受信するために必要な番組情報を生成する番組情報生成手段と、
少なくとも前記データ生成手段で生成された信号と前記番組情報生成手段で生成された前記番組情報の信号を、第１のネットワークへ送信する送信手段と、
前記第１のネットワークを介して前記受信装置などと通信する第１の通信手段と、
第２のネットワークを介して通信する第２の通信手段と、
前記第２のネットワークを介して前記第２の通信手段により受信された特定の前記受信装置への命令を処理する命令処理手段を備え、
前記第２の通信手段において前記特定の前記受信装置に対する命令を受信する毎に、前記データ生成手段で生成される信号（イ）に対して、前記命令処理手段で処理された各々の前記特定の前記受信装置を示す情報と各々の前記特定の前記受信装置への命令を繰り返し記述し、各々の前記特定の前記受信装置を示す情報と前記特定の前記受信装置への命令が繰り返し記述される前記信号（イ）を、前記送信手段から前記第１のネットワークへ送信することを特徴とする送信装置。
【請求項４】
請求項２に記載の受信装置制御システムを構成する送信装置であって、
地上デジタル放送などのデータ放送を受信するデータ放送受信手段と、
前記データ放送受信手段で受信されたデータや放送番組の映像・音声データなどを前記受信装置で受信するために必要な番組情報を生成する番組情報生成手段と、
前記第１のネットワークを介して前記受信装置などと通信する第１の通信手段と、
第２のネットワークを介して通信する第２の通信手段と、
前記第２のネットワークを介して前記第２の通信手段により受信された特定の前記受信装置への命令を処理する命令処理手段と、
前記命令処理手段で処理された信号を前記データ放送のフォーマットのデータで記述し、その記述したデータを前記データ放送受信手段で受信された前記データ放送のデータに多重するデータ放送編集手段と、
少なくとも前記データ放送受信手段で受信された信号と前記番組情報生成手段で生成された前記番組情報の信号を、前記第１のネットワークへ送信する送信手段を備え、
前記第２の通信手段において前記特定の前記受信装置に対する命令信号を受信する毎に、前記データ放送編集手段において、前記命令処理手段で処理された各々の前記特定の前記受信装置を示す情報と各々の前記特定の前記受信装置への命令を前記データ放送のフォーマットのデータで記述し、その記述したデータを前記データ放送受信手段で受信された前記データ放送のデータに繰り返し多重し、その多重信号を前記送信手段から前記第１のネットワークへ送信することを特徴とする送信装置。
【請求項５】
請求項１または２に記載の受信制御システムを構成する受信装置であって、
送信装置から第１のネットワークを介して送信されるデータ放送フォーマットの信号を受信する受信手段と、
前記受信手段で受信した信号を解析する解析手段と、
前記第１のネットワークを介して通信する通信手段を備え、
前記解析手段で解析した結果、前記受信手段で受信した信号が自らの受信装置に対する特定の内容であることを確認した場合は、前記通信手段から前記第１のネットワークを介して前記送信装置の第１の通信手段に対し受信終了信号を送信することを特徴とする受信装置。
【請求項６】
受信装置が、受信手段と解析手段を複数組具備し、少なくとも一組の前記受信手段と前記解析手段は、起動時に特定のチャンネルを受信して解析する、あるいは起動時において繰り返し特定のチャンネルを受信して解析するものであることを特徴とする請求項１または２記載の受信装置制御システム。
【請求項７】
受信手段と解析手段を複数組具備し、少なくとも一組の前記受信手段と前記解析手段は起動時に特定のチャンネルを受信して解析する、あるいは起動時において繰り返し特定のチャンネルを受信して解析することを特徴とする請求項５記載の受信装置。
【請求項８】
受信装置が、第１のネットワークを介して行う通信により起動時あるいは予め定めた時間周期で定期的に、送信装置に対して自分宛の命令に関するデータの有無を問い合わせる機能と、前記データの有無の問い合わせに対して前記送信装置から送信されてくる前記自分宛の命令に関するデータを受信する機能をさらに有し、
前記送信装置が、前記第１のネットワークを介して行う通信による前記受信装置からの前記自分宛の命令に関するデータの有無の問い合わせに対し、前記問い合わせに対するデータが有る場合は、前記命令に関するデータを前記受信装置に対して前記第１のネットワークを介して送信する機能をさらに有する、ことを特徴とする請求項１または２記載の受信装置制御システム。
【請求項９】
第１のネットワークを介して行う通信による受信装置からの自分宛の命令に関するデータの有無の問い合わせに対し、前記自分宛の命令に関する問い合わせに対するデータが有る場合は、前記自分宛の命令に関するデータを前記受信装置に対して前記第１のネットワークを介して送信する機能をさらに有する、ことを特徴とする請求項３または４記載の送信装置。
【請求項１０】
第１のネットワークを介して行う通信により起動時あるいは予め定めた時間周期で定期的に、送信装置に対して自分宛の命令に関するデータの有無を問い合わせる機能と、前記データの有無の問い合わせに対して前記送信装置から前記第１のネットワークを介して送信されてくる前記自分宛の命令に関するデータを受信する機能をさらに有する、ことを特徴とする請求項５記載の受信装置。
【発明の詳細な説明】
【技術分野】
【０００１】
本発明は、映像配信における受信装置を制御する受信装置の制御システムに関するものである。
【背景技術】
【０００２】
ＣＡＴＶ（ＣＡｂｌｅ  ＴｅｌｅＶｉｓｉｏｎ）事業者等の有線事業者において、衛星放送や地上波放送の番組を自らの有線伝送路へ再送信する仕組みが実現されている。ＣＡＴＶ事業者では、受信機にデータの蓄積機能を持たせ、再送信された番組を利用者が自宅で録画できる新たなサービスを提供するようになってきた。一方、市販の録画装置ではネットワーク機能を備えたものがあり、自宅での録画や録画予約に加え、携帯電話などから録画予約を行なうサービスも実現されている。自宅の録画装置が固定的なグローバルＩＰ（Ｉｎｔｅｒｎｅｔ  Ｐｒｏｔｏｃｏｌ）アドレスを取得している場合は、携帯電話からインターネット上のサーバを介して自宅の録画装置にアクセスできるが、一般的には、録画装置に割り当てられるＩＰアドレスは毎回値が変更される可能性があるローカルＩＰアドレスであることがほとんどであり、自宅のみで通用するローカルＩＰアドレスと、インターネットのアクセスに利用できる本来のグローバルなＩＰアドレスを相互に変換することにより、ローカルなＩＰアドレスしか割り当てられていない録画装置から、等価的にインターネットにアクセスできるようにするＮＡＴ（Ｎｅｔｗｏｒｋ  Ａｄｄｒｅｓｓ  Ｔｒａｎｓｌａｔｉｏｎ）と呼ばれる装置が自宅に設置される。しかし、外部の携帯電話からはＮＡＴを越えて直接自宅の録画装置にアクセスすることはできない。
【０００３】
この課題を解決するため、例えば、特許文献１には、ＮＡＴの下に接続されているクライアントが、ＩＭサーバ（Ｉｎｓｔａｎｔ  Ｍｅｓｓａｇｉｎｇサーバ）と呼ばれるサーバを利用して、他のクライアントと、他のクライアントが同一のＮＡＴの下に接続されているいないに拘らず、簡単に直接通信することができるようにする従来技術が開示されている。この技術を活用することにより、携帯電話からローカルＩＰアドレスの自宅の録画装置までアクセスすることが可能となる。
【０００４】
図６は、特許文献１に開示されている従来の受信装置制御システムの構成を示すブロック図である。
【０００５】
図６において、クライアント６０１とクライアント６０２は、ＩＭサーバ６０３に登録されており、クライアント６０１は、ＮＡＴ装置６０４を介してＩＭサーバ６０３にクライアント６０１の登録アドレスとクライアント６０２の登録アドレスが同一であるか否かの判定を要求する。ＩＭサーバ６０３は、両者のアドレスが同一であるか否かを調べ、その判定結果をクライアント６０１に通知する。クライアント６０１は、ＩＭサーバ６０３から通知された判定結果が同一でない場合はクライアント６０２とグローバルアドレスを用いて通信処理を行い、同一である場合はローカルアドレスを用いて通信処理を行う。
【０００６】
また、例えば、特許文献２には、放送システムを用いて放送番組を録画するに際して、外出先等の遠隔地から、録画予約をすることができる録画機能付きの放送受信装置及び放送システムに関する技術が開示されている。
【０００７】
図７は、特許文献２に開示されている従来の受信装置制御システムの構成を示すブロック図である。
【０００８】
図７において、録画予約受付センター７０２は、携帯電話７０１から送信される録画の予約データを受信する。録画予約受付センター７０２は、予約データを重畳した状態で放送センター７０３の放送衛星７０４に放送信号を送信する。放送センター７０３の放送衛星７０４から送信される放送信号を受けた受信装置７０５は、正規のユーザーと認証された場合のみに録画予約の制御を行いハードディスク７０６に録画する。録画予約の状態は、電子メールサービスプロバイダ７０７を介して携帯電話７０１に電子メールの形で送信される。
【特許文献１】特開２００４−１７３２４０号公報
【特許文献２】特開２００４−９６３９５号公報
【発明の開示】
【発明が解決しようとする課題】
【０００９】
ＣＡＴＶ局のネットワークの場合、受信装置とセンターの間にＣＭＴＳ（Ｃａｂｌｅ  Ｍｏｄｅｍ  Ｔｅｒｍｉｎａｔｉｏｎ  Ｓｙｓｔｅｍ）という中継装置が設定されるが、通常はどのＳＭＴＳの配下にどの受信装置が接続されているかを管理する装置が存在しない。従って、外部から直接受信装置がアクセスできない仕組みになっている。特許文献１では、図６に示すように、ＩＭサーバ６０３を用いて他のクライアントと、他のクライアントが同一のＮＡＴの下に接続されているいないに拘わらず、簡単に直接通信することができるようにしているが、ＩＭサーバ６０３がどのＣＭＴＳの配下にどの受信装置が存在するかを知る手段がなく、結局、受信装置が接続されているネットワークの外部の装置から受信装置にはアクセスできない、例えば、ＣＡＴＶネットワーク外にある携帯電話からＣＡＴＶネットワーク内にある受信装置にはアクセスできない、という課題を有していた。
【００１０】
また、特許文献２では、図７に示すように放送波を用いているため、受信装置が接続されているネットワークの外部から受信装置７０５に情報を送信することは出来るが、受信装置７０５がいつ外部から情報を受信したか分からないため、外部からいつまでも情報を送信する必要があり、帯域を不必要に占有するという課題があった。また、短い時間しか送信しない場合は、受信装置７０５が情報の受信に失敗する可能性が高くなるが、受信が成功したか否かはメールで連絡があるだけであり、また受信に失敗した場合は、録画予約受付センター７０２に再度予約を入れるなどの対処が必要であり、手間の発生するものであった。
【００１１】
本発明は、前記従来の課題を解決するもので、ネットワークで結ばれた放送システムにおいて、送信局（送信装置）がネットワークの外部の装置から受信した番組録画予約などの命令信号に関するデータを、ネットワークを介して受信装置に送信する際、その命令信号に関するデータをデータ放送形式に変換して放送番組に関するデータ放送のデータに繰り返し多重して送信し、受信装置はその命令信号に関するデータの受信が完了した場合、受信完了信号を送信局（送信装置）に返信することで、受信装置が、伝送帯域を効率よく用いて、ネットワークの外部の装置からの番組録画予約などの命令信号を、確実に受信できる機能を提供することを目的とする。
【課題を解決するための手段】
【００１２】
上記目的を達成するために、本願の第１の発明（請求項１に対応）の受信装置制御システムは、第１のネットワークで互いに接続され、放送番組の映像・音声データやデータ放送のデータなどを送信する送信装置と、前記送信装置が前記第１のネットワークを介して送信する前記放送番組の映像・音声データや前記データ放送のデータなどを受信する少なくとも１つの受信装置で構成される受信装置制御システムであって、
前記送信装置は、地上デジタル放送などのデータ放送フォーマットの信号を生成するデータ生成手段と、前記データ生成手段で生成された信号や放送番組の映像・音声データなどの信号を前記受信装置で受信するために必要な番組情報を生成する番組情報生成手段と、少なくとも前記データ生成手段で生成された信号と前記番組情報生成手段で生成された前記番組情報の信号を、前記第１のネットワークへ送信する送信手段と、前記第１のネットワークを介して前記受信装置などと通信する第１の通信手段と、第２のネットワークを介して通信する第２の通信手段と、前記第２のネットワークを介して前記第２の通信手段により受信された特定の前記受信装置への命令を処理する命令処理手段を備え、前記第２の通信手段において前記特定の前記受信装置に対する命令を受信する毎に、前記データ生成手段で生成される信号（イ）に対して、前記命令処理手段で処理された各々の前記特定の前記受信装置を示す情報と各々の前記特定の前記受信装置への命令を繰り返し記述し、各々の前記特定の前記受信装置を示す情報と各々の前記特定の前記受信装置への命令が繰り返し記述される前記信号（イ）を、前記送信手段から前記第１のネットワークへ送信するものであり、
前記受信装置は、前記送信装置から前記第１のネットワークを介して送信される前記データ放送フォーマットの信号を受信する受信手段と、前記受信手段で受信した信号を解析する解析手段と、前記第１のネットワークを介して通信する通信手段を備え、
前記解析手段で解析した結果、前記受信手段で受信した信号が自らの受信装置に対する特定の内容であることを確認した場合は、前記通信手段から前記第１のネットワークを介して前記送信装置の前記第１の通信手段に対し受信終了信号を送信するものである、ことを特徴とするものである。
【００１３】
また、本願の第２の発明（請求項２に対応）の受信装置制御システムは、第１のネットワークで互いに接続され、放送番組の映像・音声データやデータ放送のデータなどを送信する送信装置と、前記送信装置が前記第１のネットワークを介して送信する前記放送番組の映像・音声データや前記データ放送のデータなどを受信する少なくとも１つの受信装置で構成される受信装置制御システムであって、
前記送信装置は、地上デジタル放送などのデータ放送を受信するデータ放送受信手段と、前記データ放送受信手段で受信されたデータや放送番組の映像・音声データなどを前記受信装置で受信するために必要な番組情報を生成する番組情報生成手段と、前記第１のネットワークを介して前記受信装置などと通信する第１の通信手段と、第２のネットワークを介して通信する第２の通信手段と、前記第２のネットワークを介して前記第２の通信手段により受信された特定の前記受信装置への命令を処理する命令処理手段と、前記命令処理手段で処理された信号を前記データ放送のフォーマットのデータで記述し、その記述したデータを前記データ放送受信手段で受信された前記データ放送のデータに多重するデータ放送編集手段と、少なくとも前記データ放送受信手段で受信された信号と前記番組情報生成手段で生成された前記番組情報の信号を、前記第１のネットワークへ送信する送信手段を備え、前記第２の通信手段において前記特定の前記受信装置に対する命令信号を受信する毎に、前記データ放送編集手段において、前記命令処理手段で処理された各々の前記特定の前記受信装置を示す情報と各々の前記特定の前記受信装置への命令を前記データ放送のフォーマットのデータで記述し、その記述したデータを前記データ放送受信手段で受信された前記データ放送のデータに繰り返し多重し、その多重信号を前記送信手段から前記第１のネットワークへ送信するものであり、
前記受信装置は、前記送信装置から前記第１のネットワークを介して送信される前記データ放送フォーマットの信号を受信する受信手段と、前記受信手段で受信した信号を解析する解析手段と、前記第１のネットワークを介して通信する通信手段を備え、前記解析手段で解析した結果、前記受信手段で受信した信号が自らの受信装置に対する特定の内容であることを確認した場合は、前記通信手段から前記第１のネットワークを介して前記送信装置の前記第１の通信手段に対し受信終了信号を送信するものである、ことを特徴とするものである。
【００１４】
また、本願の第３の発明（請求項３に対応）の送信装置は、本願の第１の発明の受信装置制御システムを構成する送信装置であって、
地上デジタル放送などのデータ放送フォーマットの信号を生成するデータ生成手段と、
前記データ生成手段で生成された信号や放送番組の映像・音声データなどの信号を前記受信装置で受信するために必要な番組情報を生成する番組情報生成手段と、少なくとも前記データ生成手段で生成された信号と前記番組情報生成手段で生成された前記番組情報の信号を、第１のネットワークへ送信する送信手段と、前記第１のネットワークを介して前記受信装置などと通信する第１の通信手段と、第２のネットワークを介して通信する第２の通信手段と、前記第２のネットワークを介して前記第２の通信手段により受信された特定の前記受信装置への命令を処理する命令処理手段を備え、前記第２の通信手段において前記特定の前記受信装置に対する命令を受信する毎に、前記データ生成手段で生成される信号（イ）に対して、前記命令処理手段で処理された各々の前記特定の前記受信装置を示す情報と各々の前記特定の前記受信装置への命令を繰り返し記述し、各々の前記特定の前記受信装置を示す情報と前記特定の前記受信装置への命令が繰り返し記述される前記信号（イ）を、前記送信手段から前記第１のネットワークへ送信することを特徴とするものである。
【００１５】
また、本願の第４の発明（請求項４に対応）の送信装置は、本願の第２の発明の受信装置制御システムを構成する送信装置であって、地上デジタル放送などのデータ放送を受信するデータ放送受信手段と、前記データ放送受信手段で受信されたデータや放送番組の映像・音声データなどを前記受信装置で受信するために必要な番組情報を生成する番組情報生成手段と、前記第１のネットワークを介して前記受信装置などと通信する第１の通信手段と、第２のネットワークを介して通信する第２の通信手段と、前記第２のネットワークを介して前記第２の通信手段により受信された特定の前記受信装置への命令を処理する命令処理手段と、前記命令処理手段で処理された信号を前記データ放送のフォーマットのデータで記述し、その記述したデータを前記データ放送受信手段で受信された前記データ放送のデータに多重するデータ放送編集手段と、少なくとも前記データ放送受信手段で受信された信号と前記番組情報生成手段で生成された前記番組情報の信号を、前記第１のネットワークへ送信する送信手段を備え、前記第２の通信手段において前記特定の前記受信装置に対する命令信号を受信する毎に、前記データ放送編集手段において、前記命令処理手段で処理された各々の前記特定の前記受信装置を示す情報と各々の前記特定の前記受信装置への命令を前記データ放送のフォーマットのデータで記述し、その記述したデータを前記データ放送受信手段で受信された前記データ放送のデータに繰り返し多重し、その多重信号を前記送信手段から前記第１のネットワークへ送信することを特徴とするものである。
【００１６】
また、本願の第５の発明（請求項５に対応）の受信装置は、本願の第１の発明または第２の発明の受信装置制御システムを構成する受信装置であって、送信装置から第１のネットワークを介して送信されるデータ放送フォーマットの信号を受信する受信手段と、前記受信手段で受信した信号を解析する解析手段と、前記第１のネットワークを介して通信する通信手段を備え、前記解析手段で解析した結果、前記受信手段で受信した信号が自らの受信装置に対する特定の内容であることを確認した場合は、前記通信手段から前記第１のネットワークを介して前記送信装置の第１の通信手段に対し受信終了信号を送信することを特徴とするものである。
【００１７】
また、本願の第６の発明（請求項６に対応）の受信装置制御システムは、本願の第１の発明または第２の発明の受信装置制御システムにおいて、受信装置が、受信手段と解析手段を複数組具備し、少なくとも一組の前記受信手段と前記解析手段は、起動時に特定のチャンネルを受信して解析する、あるいは起動時において繰り返し特定のチャンネルを受信して解析するものであることを特徴とするものである。
【００１８】
また、本願の第７の発明（請求項７に対応）の受信装置制御システムは、本願の第５の発明の受信装置において、受信手段と解析手段を複数組具備し、少なくとも一組の前記受信手段と前記解析手段は起動時に特定のチャンネルを受信して解析する、あるいは起動時において繰り返し特定のチャンネルを受信して解析することを特徴とするものである。
【００１９】
また、本願の第８の発明（請求項８に対応）の受信装置制御システムは、本願の第１の発明または第２の発明の受信装置制御システムにおいて、受信装置が、第１のネットワークを介して行う通信により起動時あるいは予め定めた時間周期で定期的に、送信装置に対して自分宛の命令に関するデータの有無を問い合わせる機能と、前記データの有無の問い合わせに対して前記送信装置から送信されてくる前記自分宛の命令に関するデータを受信する機能をさらに有し、前記送信装置が、前記第１のネットワークを介して行う通信による前記受信装置からの前記自分宛の命令に関するデータの有無の問い合わせに対し、前記問い合わせに対するデータが有る場合は、前記命令に関するデータを前記受信装置に対して前記第１のネットワークを介して送信する機能をさらに有する、ことを特徴とするものである。
【００２０】
また、本願の第９の発明（請求項９に対応）の送信装置は、本願の第３の発明または第４の発明の送信装置において、第１のネットワークを介して行う通信による受信装置からの自分宛の命令に関するデータの有無の問い合わせに対し、前記自分宛の命令に関する問い合わせに対するデータが有る場合は、前記自分宛の命令に関するデータを前記受信装置に対して前記第１のネットワークを介して送信する機能をさらに有する、ことを特徴とするものである。
【００２１】
また、本願の第１０の発明（請求項１０に対応）の受信装置は、本願の第５の発明の受信装置において、第１のネットワークを介して行う通信により起動時あるいは予め定めた時間周期で定期的に、送信装置に対して自分宛の命令に関するデータの有無を問い合わせる機能と、前記データの有無の問い合わせに対して前記送信装置から前記第１のネットワークを介して送信されてくる前記自分宛の命令に関するデータを受信する機能をさらに有する、ことを特徴とするものである。
【発明の効果】
【００２２】
本発明の受信装置制御システムによれば、受信装置制御システムを構成する送信装置と受信装置が接続されているネットワークの外部にある携帯電話などの情報端末から、ネットワークの内部にある受信装置に対して、番組録画予約などの制御を、帯域を効率よく用いて行なうことが可能となる。
【発明を実施するための最良の形態】
【００２３】
以下に、本発明を実施するための最良の形態について、図面を参照しながら説明する。
【００２４】
（実施の形態１）
図１は、本発明の実施の形態１におけるＣＡＴＶネットワークでの受信装置制御システムの構成を示すブロック図である。なお、第１のネットワークとしてＣＡＴＶネットワークを、第２のネットワークとしてインターネットを例に挙げて説明を行なうが、ネットワークの形態に関しては特にこれに限定するものではない。
【００２５】
図１において、ＣＡＴＶ局（送信装置）１１０は、受信装置１００がＣＡＴＶネットワーク１２０を介してＣＡＴＶ局１１０と通信するためにＥｔｈｅｒｎｅｔ（登録商標）信号を変換するなどの第１の通信手段（図示せず）としての機能を有するＣＭＴＳ１１１と、ＣＡＴＶネットワーク１２０の外部の携帯電話１５０から、インターネット１４０を介して送信されてくる受信装置１００へのコマンドなどを受信する第２の通信手段（図示せず）としての機能や、第２の通信手段で受信した受信装置１００へのコマンドなどを処理し、コマンド（例えば、番組録画予約情報）などを送信してきた受信装置を示す情報（例えば、受信装置の固有番号であるＳＴＢＩＤ）と番組録画予約情報を処理して予約命令としてＭＵＸ１１４に送信する命令処理手段（図示せず）としての機能などを有し、第２の受信手段で受信するコマンドや命令処理手段で処理して送信する予約命令や、第１の通信手段としての機能を有するＣＭＴＳ１１１がＣＡＴＶネットワーク１２０を介して受信する受信装置１００からの情報などを管理するサーバ１１２と、自主放送などの番組信号を生成する番組生成手段（図示せず）や、放送番組の映像・音声データやデータ放送のデータなどを受信装置１００で受信するために必要な番組情報を生成する番組情報生成手段（図示せず）などの機能を具備し、番組生成手段からの信号や番組情報生成手段からの番組情報、および地上デジタル放送などの放送番組の映像・音声データやデータ放送のデータなどを受信するデジタル放送受信手段（図示せず）からの番組信号などを、ＣＡＴＶネットワーク１２０に送信できるように情報を変換したり多重したりするＭＵＸ（Ｍｕｌｔｉｐｌｅｘｅｒ）１１４と、ＭＵＸ１１４からの信号を６４ＱＡＭ（Ｑｕａｄｒａｔｕｒｅ  Ａｍｐｌｉｔｕｄｅ  Ｍｏｄｕｌａｔｉｏｎ）変調し、その変調した信号をＣＡＴＶネットワーク１２０に送信する送信手段（図示せず）としての機能を有するＱＡＭ１１３などで構成されている。
【００２６】
なお、上記デジタル放送受信手段には、少なくとも、地上デジタル放送などのデータ放送を受信するデータ放送受信手段（図示せず）が具備されている。
【００２７】
また、上記の番組生成手段には、自主番組を制作する場合の機能の一つとして、地上デジタル放送などのデータ放送フォーマットの信号を生成する機能を有するデータ生成手段（図示せず）が具備されている。
【００２８】
一方、受信装置であるＳＴＢ（Ｓｅｔ  Ｔｏｐ  Ｂｏｘ）１００は、ユーザーが選択した第１番組を受信してＱＡＭ復調を行う第１チューナ部１０１と、第１チューナ部１０１で復調したＴＳ（Ｔｒａｎｓｐｏｒｔ  Ｓｔｒｅａｍ）信号を第１チューナ部１０１から受信し、ユーザーが選択した第１番組のＴＳ信号をデコードして処理する第１ＴＳデコード部１０２と、第１チューナ部１０１と第１ＴＳデコード部１０２で構成される第１受信手段２０１においてデコードされた信号に含まれるデータ放送などのＢＭＬ（Ｂｒｏａｄｂａｎｄ  Ｍａｒｋｕｐ  Ｌａｎｇｕａｇｅ）データを解析して処理する第１ＢＭＬ解析手段１０３と、ユーザーが選択した第２番組を受信してＱＡＭ復調を行う第２チューナ部１０５と、第２チューナ部１０５で復調したＴＳ信号を第２チューナ部１０５から受信し、ユーザーが選択した第２番組のＴＳ信号をデコードして処理する第２ＴＳデコード部１０６と、第２チューナ部１０５と第２ＴＳデコード部１０６で構成される第２受信手段２０２においてデコードされた信号に含まれるデータ放送などのＢＭＬ（Ｂｒｏａｄｂａｎｄ  Ｍａｒｋｕｐ  Ｌａｎｇｕａｇｅ）データを解析して処理する第２ＢＭＬ解析手段１０７と、受信データをＴＶ（ＴｅｌｅＶｉｓｉｏｎ）１３０で表示するための表示信号を生成する表示手段１０４と、外部と通信するための処理を行う通信手段１０９と、通信手段１０９で生成された信号をＣＡＴＶネットワーク１２０に適したフォーマットに変換して通信するケーブルモデム１０８と、受信装置１００における種々の制御を掌る制御手段（ａ）（図示せず）などで構成される。この制御手段（ａ）は、一般的には受信装置１００に搭載されているプロセッサなどで実現される。
【００２９】
また、携帯電話１５０は、ＣＡＴＶネットワーク１２０に接続されている自宅の受信装置１００に対して番組録画予約を行う場合、既存のブラウザなどを起動してＵＲＬ（Ｕｎｉｆｏｒｍ  Ｒｅｓｏｕｒｃｅ  Ｌｏｃａｔｏｒ）などを入力し、インターネット１４０を介してＣＡＴＶ局１１０のサーバ１１２にアクセスする。なお、携帯電話１５０がアクセスする方法は、特に上記方法に限定するものではない。また、ＳＴＢ（受信装置）１００は、ネットワークの外部からの番組録画予約などの命令を常に受信できるようにするため、通常は少なくとも装置の一部の電源がＯＮ状態になっている。
【００３０】
図２は、本発明の実施の形態１における受信装置制御システムの処理の流れを示した図である。
【００３１】
以下に、図２を用いて、本発明の実施の形態１における受信装置制御システムの処理の流れを説明する。
【００３２】
利用者（ユーザー）がＣＡＴＶネットワーク１２０に接続されている自宅の受信装置１００に対して番組録画予約をＣＡＴＶネットワーク１２０の外部から行う場合、ユーザーは、携帯電話１５０を用いてＣＡＴＶ局１１０の第２の通信手段の機能を有するサーバ１１２に対してインターネット１４０を介してアクセスする（Ｓ２０１）。
【００３３】
アクセスされたサーバ１１２は、アクセスしてきた携帯電話１５０に対してアクセス画面を送信し（Ｓ２０２）、携帯電話１５０では、サーバ１１２からブラウザ画面などで送られてきたアクセス画面を受信して表示する。ユーザーは、携帯電話１５０に表示されたアクセス画面を活用して番組録画予約情報を入力し、その入力した番組録画予約情報をサーバ１１２に送信する（Ｓ２０３）。
【００３４】
サーバ１１２では、番組録画予約情報を送信してきた携帯電話１５０の電話番号を認識し（Ｓ２０４）、あらかじめ前記電話番号とペアで登録されている受信装置の固有番号（ＳＴＢＩＤ）と番組録画予約情報を予約命令としてＭＵＸ１１４に送信する（Ｓ２０５）。
【００３５】
なお、ユーザーが携帯電話１５０でＳＴＢＩＤを入力してサーバ１１２に送信し、サーバ１１２で送信してきた携帯電話の電話番号と受信したＳＴＢＩＤの認証を行うようにしてもよい。
【００３６】
また、番組録画予約情報としては、サーバ１１２がアクセス画面に番組表として提示したものをユーザーが携帯電話１５０で選択するようにしてもよいし、ユーザーが携帯電話１５０で特定のフォーマットで予約時間やチャンネルなどを入力するようにしてもよく、特に限定するものではない。
【００３７】
サーバ１１２が具備する命令処理手段から予約命令を受信したＭＵＸ１１４は（Ｓ２０６）、予約命令をデータ放送フォーマットに変換し（Ｓ２０７）、データ放送として内蔵する番組生成手段が具備するデータ生成手段（図示せず）で生成されるＣＡＴＶ局１１０のポータル番組などの決められたチャンネル（仮にチャンネルＮとする）のＴＳ情報に繰り返し多重する（Ｓ２０８）とともに、内蔵する番組情報生成手段（図示せず）において、番組生成手段が具備するデータ生成手段で生成される信号や放送番組の映像・音声データなどの信号を、受信手段１００で受信するために必要な番組情報であるＰＭＴ（Ｐｒｏｇｒａｍ  Ｍａｐ  Ｔａｂｌｅ）を編集／生成してデータ放送が多重されていることを追記し、その生成したＰＭＴを、少なくともデータ生成手段で生成され、データ放送フォーマットに変換された予約命令が繰り返し多重される信号とともにＱＡＭ１１３に送信する。ＱＡＭ１１３は、ＭＵＸ１１４から受信した上記信号を６４ＱＡＭ変調した後、ＱＡＭ１１３が具備する送信手段（図示せず）からＣＡＴＶネットワーク１２０にデータ放送として送信する（Ｓ２０９）。
【００３８】
受信装置１００では、受信手段が第１受信手段２０１と第２受信手段２０２の２系統があり、起動時、第１受信手段２０１は前回電源をオフする時点で受信していた番組のチャンネルを受信し、第２受信手段２０２はＣＡＴＶ局１１０のポータルチャンネル、すなわちチャンネルＮを受信する（Ｓ２１０）。第２受信手段２０２においては、第２チューナ部１０５がポータル番組（チャンネルＮ）を受信するとＱＡＭ復調を行い、その復調した信号中のＴＳ信号を第２ＴＳデコード部１０６でデコード処理し、ＴＳ信号に含まれる番組情報に基づいて映像・音声データとデータ放送を分離し、映像・音声データは映像・音声データ処理手段（図示せず）に、データ放送は第２ＢＭＬ解析手段１０７にそれぞれ送信される。第２ＢＭＬ解析手段１０７は、第２ＴＳデコード部１０６から受信したデータ放送に記述されているＢＭＬデータを解析して処理する（Ｓ２１１）。第２ＢＭＬ解析手段１０７は、受信したＢＭＬデータを解析した結果、自身（受信装置１００）のＳＴＢＩＤと番組録画予約コマンドが記載されていると判断した場合はその結果を受信装置１００における制御手段（ａ）に伝える。制御手段（ａ）は、第２ＢＭＬ解析手段１０７から自身のＳＴＢＩＤと番組録画予約コマンドが記載されていることを伝えられると、受信装置１００における番組の録画予約などを掌る録画処理手段（図示せず）において、ユーザーによる通常のリモコン操作などで設定される番組録画予約処理と同様の処理を行う。
【００３９】
録画処理手段において番組録画予約処理が完了すると、受信装置１００の通信手段１０９は、ケーブルモデム１０８およびＣＡＴＶネットワーク１２０を介して、サーバ１１２の第１の通信手段に対して受信終了信号とＳＴＢＩＤを送信する（Ｓ２１２）。
【００４０】
サーバ１１２は、ＣＭＴＳ１１１から第１の受信手段において受信装置１００の通信手段１０９から受信終了信号とＳＴＢＩＤを受信した（Ｓ２１３）ことを伝えられると、ＭＵＸ１１４に対し、第２の通信手段において受信したＳＴＢＩＤに関する番組録画予約などのデータをチャンネルＮのＴＳ情報に繰り返し多重することを中止する命令を送信する（Ｓ２１４）。サーバ１１２から多重することを中止する命令を受けたＭＵＸ１１４は、該当するＳＴＢＩＤに関するデータをチャンネルＮのＴＳ情報に多重することを中止する（Ｓ２１５）。
【００４１】
なお、ＣＡＴＶ局１１０が、複数の受信装置への番組録画予約などの命令を受信して処理している場合は、ＳＴＢＩＤに関するデータをチャンネルＮのＴＳ情報に繰り返し多重することは継続し、受信終了信号を送信してきた受信装置１００のＳＴＢＩＤに関するデータのみを、チャンネルＮのＴＳ情報に多重するＳＴＢＩＤに関するデータから削除する。
【００４２】
図３は、番組録画予約用データが多重されたデータ放送における番組録画予約用データの記述の一例を示す図である。
【００４３】
図３において、１行目のｓｔｂｉｄ＝ｂｒｏｗｓｅｒ．ｇｅｔＩＲＤＩＤ（５）は、ＢＭＬブラウザを起動してＳＴＢＩＤとして受信装置１００のＣＡＳ（Ｃｏｎｄｉｔｉｏｎａｌ  Ａｃｃｅｓｓ  Ｓｙｓｔｅｍ）カードＩＤを読み出す命令であり、２行目のｉｆ（ｓｔｂｉｄ＝＝ＤＯ＿ＲＯＫＵＧＡ）は、ＳＴＢＩＤが携帯電話１５０からサーバ１１２に登録されたＳＴＢＩＤであるＤＯ＿ＲＯＫＵＧＡと１行目の命令により読み出したＳＴＢＩＤであるＣＡＳカードＩＤを比較して、一致すれば録画予約を実行する。なお、３行目に記載のＤｏＲｏｋｕｇａは新たに規定する録画予約コマンドであり、ＤｏＲｏｋｕｇａに続くカッコ内の数字の０００４．４０Ｆ０．０００１は受信する番組を指し示す値であって、０００４はネットワークＩＤ（ＮＷＩＤ）、４０Ｆ０はＴＳＩＤ（Ｔｒａｎｓｐｏｒｔ  Ｓｔｒｅａｍ  ＩＤ）、０００１はサービスＩＤ（ＳＩＤ）であり、０００４．４０Ｆ０．０００１に続く数字は録画開始時間と終了時間であって、２００６０８０９１２００は２００６年８月９日の１２時００分から２００６年８月９日の１３時５９分まで録画予約されることを示している。
【００４４】
なお、録画情報としては、ＮＷＩＤ、ＴＳＩＤおよびＳＩＤの他にＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）で規定されているイベントＩＤテーブル（ＥＩＴ）を使用してもよい。
【００４５】
また、用いられるＳＴＢＩＤは、ＣＡＳカードＩＤの他にＳＴＢそのもののＩＤなど、契約者を特定できるものであれば特にＣＡＳカードＩＤに限定するものではない。
【００４６】
図４は、本発明の実施の形態１における受信装置１００における番組録画予約の処理の流れを示す図である。
【００４７】
以下に、図４を用いて、受信装置１００における番組録画予約の処理の流れを詳細に説明する。
【００４８】
受信装置（ＳＴＢ）１００は、ユーザーが電源を入れて起動させると（Ｓ４０１）、第１受信手段２０１の第１チューナ部１０１は電源起動前にユーザーが選択していた番組、すなわち、前回電源をオフする時点で受信していた番組のチャンネル（ラストチャンネル）を選局する。
【００４９】
一方、第２受信手段２０２の第２チューナ部１０５は、ＣＡＴＶ局１１０が運営するポータルチャンネルＮを選局する（Ｓ４０２）。第２チューナ部１０５がポータルチャンネルＮを受信してＱＡＭ復調を行い（Ｓ４０３）、その復調した信号を第２受信手段２０２の第２ＴＳデコード部１０６に送信する。第２ＴＳデコード部１０６は、第２チューナ部１０５からＴＳ信号を受信してこれをデコード処理し（Ｓ４０４）、第２ＢＭＬ解析手段１０７を介してポータルチャンネルＮを表示するための信号を表示手段１０４に送信する。第２ＢＭＬ解析手段１０７は、第２ＴＳデコード部１０６においてデコード処理された信号中のデータ放送のＴＳ信号に、データ放送フォーマットに変換された予約命令が多重されているか否かを判別し（Ｓ４０５）、多重されていなければ、その旨を制御手段（ａ）に伝えて番組録画予約処理を終了（Ｓ４１０）させる。一方、予約命令が第２ＴＳデコード部１０６においてデコード処理された信号中のデータ放送のＴＳ信号に多重されている場合は、第２ＢＭＬ解析手段１０７は、データ放送のＴＳ信号に記述されているＢＭＬデータを解析して（Ｓ４０６）、ＳＴＢＩＤが記載されていれば自分宛であるか否かを確認し（Ｓ４０７）、その確認した結果を制御手段（ａ）に送信する。制御手段（ａ）は、自分宛であれば、録画処理手段に番組録画予約処理を実行させ（Ｓ４０８）、自分宛でなければ、録画処理手段において録画予約処理を終了させる（Ｓ４１０）。録画処理手段において予約処理が実行されると、制御手段（ａ）が通信手段１０９に対し、受信終了信号とＳＴＢＩＤをケーブルモデム１０８およびＣＡＴＶネットワーク１２０を介してＣＡＴＶ局１１０のＣＭＴＳ１１１の第１の通信手段を経てサーバ１１２に送信するように制御して（Ｓ４０９）、処理を終了する（Ｓ４１０）。
【００５０】
なお、本発明の実施の形態１では、ポータルチャンネルＮのデータ放送に番組録画予約用データが多重された場合の番組録画予約用データの記述の一例として、図３に示すような内容で、データ放送に直接番組録画予約コマンドを記載し、そのコマンドを記載したデータを繰り返し送信（放送）する方法を基に説明したが、受信装置１００がＣＡＴＶ局１１０から自分宛の番組録画予約命令などに関するデータを受信する方法はこれに限るものではなく、例えば、受信装置１００が、ＣＡＴＶネットワーク１２０を介して行う通信により起動時あるいは予め定めた時間周期で定期的に、ＣＡＴＶ局１１０のサーバ１１２に対して自分宛の番組録画予約命令に関するデータの有無を問い合わせ、自分宛の番組録画予約命令に関するデータが有る場合は、その番組録画予約命令に関するデータをＣＡＴＶ局１１０からデータ放送に多重して送信（放送）してもらい、自分宛の番組録画予約命令を受信する方法であってもかまわない。
【００５１】
以下に、受信装置１００からＣＡＴＶ局１１０に対して、通信により起動時あるいは予め定めた時間周期で定期的に自分宛の番組録画予約命令に関するデータの有無を問い合わせる場合の具体例について、図５を参照しながら説明する。なお、図５は、ＢＭＬデータを受信した受信装置１００に処理実行を要求するデータ放送記述の一例を示す図である。
【００５２】
図５において、（Ａ）は、アドレスがＳｅｒｖｅｒ＿ａｄｄｒｅｓｓのサーバにアクセスして、ｃｈｅｃｋ＿ｓｔｂｉｄ＝１２３４；ｃｍｄ＝ＹＯＹＡＫＵで、ＳＴＢＩＤが１２３４の受信装置に対して予約コマンドが登録されていないかを問い合わせるコマンドである。このコマンドを受信装置１００からＣＡＴＶネットワーク１２０およびＣＭＴＳ１１１における第１の通信手段を介して受け取ったサーバ１１２は、登録内容をチェックし、ＳＴＢＩＤ＝１２３４に対する番組録画予約コマンドが登録されていると、図３に記載したコマンドをデータ放送に番組録画予約用データとして多重し、その多重したデータをＳＴＢＩＤ＝１２３４の受信装置１００に対して送信する。ＳＴＢＩＤ＝１２３４に対する番組録画予約コマンドが登録されていない場合は、空のＢＭＬデータなど予約がなされていないことを示すデータをデータ放送に多重し、その多重したデータをＳＴＢＩＤ＝１２３４の受信装置１００に対して送信する。
【００５３】
次に、予め定めた時間周期で定期的に実行する場合の例を、図５の（Ｂ）を用いて説明する。なお、図５の（Ｂ）は、図５の（Ａ）に記載された内容（コマンド）を定期的に実行するデータ放送記述の一例を示す図である。
【００５４】
（Ｂ）に記載のＣｈｅｃｋＹｏｙａｋｕで（Ａ）に記載の内容（コマンド）を実行する。（Ｂ）に記載の１０００はチェックする周期を示し、１０００は１０００ｍｓの時間周期で定期的にチェックすることを示している。
【００５５】
なお、上記の例では、ＣＡＴＶ局（送信装置）１１０は、受信装置１００からの通信による問い合わせに対して、番組録画予約命令などの命令に関するデータをデータ放送に多重して送信（放送）することにより返信したが、受信装置１００からの通信による問い合わせに対して直接通信により番組録画予約命令に関するデータを返信するようにしてもよい。
【００５６】
また、自分宛の番組録画予約命令などの命令を受信する方法として、本発明の実施の形態１で示した方法と、上記のＣＡＴＶネットワーク１２０を介して行う通信により行う方法の少なくともいずれかの方法で受信するようにしてもよい。
【００５７】
また、本発明の実施の形態１では、携帯電話を用いて番組録画予約を行ったが、パソコンやその他携帯情報端末などＩＰネットワークに接続可能な機器であれば、特に限定するものではない。
【００５８】
また、本発明の実施の形態１では、番組録画予約を例に説明を行ったが、受信装置１００への命令は選局や録画の中断など、特に限定するものではない。
【００５９】
また、本発明の実施の形態１では、自主放送などのデータ放送がない場合あるいは番組休止中の場合に、ＭＵＸ１１４において番組録画予約命令のデータをデータ放送形式のデータに変換してデータ放送用データとして生成し、これを自主放送番組などのＴＳ情報に多重する場合を例に説明したが、もともとデータ放送が送信されている場合は、データ放送の内容をＭＵＸ１１４で編集し、その上に番組録画予約命令を記載するようにしてもよい。
【００６０】
また、本発明の実施の形態１においては、受信装置１００は裏録画などが可能な２系統の受信手段２０１、２０２および２系統のＢＭＬ解析手段１０３、１０７を搭載する例を示したが、２系統あるいはそれ以上を搭載すると高価となるため、１系統の受信手段２０１とＢＭＬ解析手段１０３を搭載する受信装置（α）が一般的である。このような１系統の受信手段２０１とＢＭＬ解析手段１０３しか搭載しない受信装置（α）においては、本発明の実施の形態１において説明したようにポータルチャンネルを活用することができないため、送信装置１１０においては、通常チャンネルまたはポータルチャンネルのデータ放送に、番組録画予約などの命令をデータ放送フォーマットに変換して繰り返し多重する必要があり、さらに、受信装置（α）がどのチャンネルにセットされているか分からないため、通常チャンネルの全てのチャンネルにおいて、各々のチャンネルのデータ放送に番組録画予約などの命令をデータ放送フォーマットに変換して繰り返し多重する必要がある。
【００６１】
一方、受信装置（α）においては、本発明の実施の形態１と同様に、ＢＭＬ解析手段１０３でＢＭＬデータを解析してデータ放送のデータに多重されている自分宛の番組録画予約などの命令を受信し、番組録画予約処理が完了すると、受信装置（α）の通信手段１０９は、ケーブルモデム１０８およびＣＡＴＶネットワーク１２０を介して、サーバ１１２の第１の通信手段に対して受信終了信号とＳＴＢＩＤを送信する。
【産業上の利用可能性】
【００６２】
本発明に係る受信装置制御システムは、ＣＡＴＶネットワークなどのようにＳＴＢ（受信装置）のＩＰアドレスが不明なネットワークに対しても、帯域を有効に利用しながら、ネットワークの外部から番組録画予約などの命令を確実に送信することが可能であり、ネットワークの外部からの番組録画予約などに有用である。
【図面の簡単な説明】
【００６３】
【図１】本発明の実施の形態１におけるＣＡＴＶネットワークでの受信装置制御システムの構成を示すブロック図
【図２】本発明の実施の形態１における受信装置制御システムの処理の流れを示した図
【図３】番組録画予約用データが多重されたデータ放送における録画予約用データの記述の一例を示す図
【図４】本発明の実施の形態１における受信装置の番組録画予約の処理の流れを示す図
【図５】ＢＭＬデータを受信した受信装置に処理実行を要求するデータ放送記述の一例を示す図
【図６】特許文献１に開示されている従来の受信装置制御システムの構成を示すブロック図
【図７】特許文献２に開示されている従来の受信装置制御システムの構成を示すブロック図
【符号の説明】
【００６４】
１００  受信装置（ＳＴＢ）
１０１  第１チューナ部
１０２  第１ＴＳデコード部
１０３  第１ＢＭＬ解析手段
１０４  表示手段
１０５  第２チューナ部
１０６  第２ＴＳデコード部
１０７  第２ＢＭＬ解析手段
１０８  ケーブルモデム
１０９  通信手段
１１０  ＣＡＴＶ局
１１１  ＣＭＴＳ
１１２  サーバ
１１３  ＱＡＭ
１１４  ＭＵＸ
１２０  ＣＡＴＶネットワーク
１３０  ＴＶ
１４０  インターネット
１５０  携帯電話
２０１  第１受信手段
２０２  第２受信手段
６０１  クライアント
６０２  クライアント
６０３  ＩＭサーバ
６０４  ＮＡＴ装置
７０１  携帯電話
７０２  録画予約受付センター
７０３  放送センター
７０４  放送衛星
７０５  受信装置
７０６  ＨＤ（ハードディスク）
７０７  電子メールサービスプロバイダ
【図１】
2008118494.tif 000003
【図２】
2008118494.tif 000004
【図３】
2008118494.tif 000005
【図４】
2008118494.tif 000006
【図５】
2008118494.tif 000007
【図６】
2008118494.tif 000008
【図７】
2008118494.tif 000009